(57)【要約】【課題】空気調和機において熱交換器から発生する結露水が水受け皿に流入する時に発生する水跳ね音を防止するものである。【解決手段】結露水が注ぎ口１ｂから吹き出しグリル４の水受け皿４ａに自然落下する構成の空気調和機において、流水路１ａの先端部の注ぎ口１ｂの前方に、吹き出しグリル４より注ぎ口流水面より高い位置まで樋状の注ぎ口１ｂと平行にリブＡ６を突出させ、注ぎ口１ｂより流出する結露水をリブＡ６をガイドとして吹き出しグリル４の水受け皿４ａへ導くように構成することにより、注ぎ口１ｂより流出した結露水は、リブＡ６に衝突しリブＡ６を伝って吹き出しグリル４の水受け皿４ａに導かれ、注ぎ口１ｂから直接水受け皿４ａに落下するのを防止でき、また、注ぎ口１ｂの流水面より高い位置までリブＡ６を突出させたことにより、結露水がリブを飛び越え、直接水受け皿４ａに落下するのを防止することが出来る。【選択図】図１
2008215714.tif 000002
【特許請求の範囲】
【請求項１】
台枠とクロスフローファンと、前記クロスフローファンの回転によって吸い込んだ空気の熱交換を行う多段に折り曲げた熱交換器と熱交換の行われた空気を送風する吹き出しグリルを備えており、前記熱交換器の前面側から発生する結露水は前記吹き出しグリルと一体に設けた水受け皿に流入し、前記熱交換器の背面から発生する結露水は、前記台枠に前記熱交換器と略平行に設けた流水路に流入し、且つ前記流水路の一方の端から前方に向かって前記吹き出しグリルの水受け皿に結露水を誘導する樋状の注ぎ口を設け、結露水が前記注ぎ口から前記吹き出しグリルの水受け皿に自然落下する構成の空気調和機において、前記流水路先端部の注ぎ口の前方に、前記吹き出しグリルより前記注ぎ口の流水面より高い位置まで前記樋状の注ぎ口と平行にリブＡを突出させ、前記注ぎ口より流出する結露水を前記リブＡをガイドとして前記吹き出しグリルの水受皿へ導く手段を有することを特徴とする空気調和機。
【請求項２】
前記吹き出しグリルより前記注ぎ口の流水面より高い位置まで前記樋状の注ぎ口と平行にリブＡを突出させ、さらにその前方に前記リブＡと同等の高さで前記リブＡと９０度の角度を成し、前記注ぎ口の幅より大きい幅面を持つＬ型リブＢを突出させたことを特徴とする請求項１記載の空気調和機。
【請求項３】
前記吹き出しグリルより前記注ぎ口の流水面より高い位置まで前記樋状の注ぎ口と平行にリブＡを突出させ、さらに前記リブＡと同等の高さで前記リブＡの前方に位置し前記リブＡ及び前記注ぎ口を囲むようにコの字状のリブＣを突出させたことを特徴とする請求項１記載の空気調和機。
【請求項４】
前記吹き出しグリルより前記注ぎ口の流水面より高い位置まで前記樋状の注ぎ口と平行にリブＡを突出させ、さらにその前方に前記リブＡと同等の高さで前記リブＡと９０度の角度を成し、前記注ぎ口の幅より大きい幅面を持つリブＤを突出させ、該リブＤの両端に前記注ぎ口を囲むように前記リブＤに垂直にリブＥを突出させ、前記リブＤの下方に前記吹き出しグリルの水受け皿に通じる貫通孔を設けたことを特徴とする請求項１記載の空気調和機。
【請求項５】
前記吹き出しグリルより前記注ぎ口の前方に前記樋状の注ぎ口と平行にリブＦを突出させ、さらにその前方に前記リブＦと９０度の角度を成し、前記注ぎ口の幅と同等か、前記注ぎ口の幅より大きい幅面を持つＬ型リブＧを突出させ、該Ｌ型リブＧの上方に前記熱交換器のエンドプレートを延長し遮蔽板を形成し、前記注ぎ口より流出した結露水を受け止め、結露水を前記Ｌ型リブＧの前記リブＦ側の面に誘導する構造を備えたことを特徴とする請求項１記載の空気調和機。
【発明の詳細な説明】
【技術分野】
【０００１】
本発明は空気調和機の結露水処理構造に関するものである。
【背景技術】
【０００２】
従来の空気調和機の結露水処理について図面とともに説明する。図８は従来の空気調和機の部分透視斜視図で、図９は従来の空気調和機の要部斜視図である。従来の結露水処理構造は図８、図９に示すように、背面側熱交換器３ｄに発生した結露水は台枠１に設けた流水路１ａに流れ込み、流水路１ａの先端に設けた注ぎ口１ｂより吹き出しグリル４の水受け皿４ａに流れ込む構造になっていた。
【０００３】
一方、流水路１ａの先端の注ぎ口１ｂの下方に結露水を導くリブを設けたものがある（例えば、特許文献１参照）。
【特許文献１】特開平９−１３３３７５号公報
【発明の開示】
【発明が解決しようとする課題】
【０００４】
しかしながら、上記従来技術の構造では、結露水を台枠１の注ぎ口１ｂより吹き出しグリル４の水受け皿４ａへ落下し、水受け皿４ａに溜った結露水に衝突すると水跳ね音が発生するという課題があった。
【０００５】
一方、上記公報記載の空気調和機は、注ぎ口１ｂの下方にリブ４ｂを設けて、そのリブ４ｂにより結露水が水受け皿４ａに導かれ、結露水が水受け皿４ａに直接落下することを防止する構造であるが多量の結露水が一気に流れる場合、結露水がリブ４ｂを飛び越え直接水受け皿４ａに落下し水跳ね音が発生するという課題があった。
【課題を解決するための手段】
【０００６】
前記従来の課題を解決するために、本発明の空気調和機は台枠の注ぎ口の前方、かつ注ぎ口の流水面より高い位置までリブを突出する構造としたものである。これにより、注ぎ口から流出する結露水をリブを介して吹き出し口の水受け皿に導き、結露水が直接水受け皿に落下するのを防止することが出来る。
【発明の効果】
【０００７】
本発明の空気調和機は、結露水がリブを介して水受け皿に流れ込むことにより、結露水による水跳ね音の発生を防止することが出来る。
【発明を実施するための最良の形態】
【０００８】
請求項１記載の発明は、台枠とクロスフローファンと、前記クロスフローファンの回転によって吸い込んだ空気の熱交換を行う多段に折り曲げた熱交換器と熱交換の行われた空気を送風する吹き出しグリルを備えており、前記熱交換器の前面側から発生する結露水は前記吹き出しグリルと一体に設けた水受け皿に流入し、前記熱交換器の背面から発生する結露水は、前記台枠に前記熱交換器と略平行に設けた流水路に流入し、且つ前記流水路の一方の端から前方に向かって前記吹き出しグリルの水受け皿に結露水を誘導する樋状の注ぎ口を設け、結露水が前記注ぎ口から前記吹き出しグリルの水受け皿に自然落下する構成の空気調和機において、前記流水路先端部の注ぎ口の前方に、前記吹き出しグリルより前記注ぎ口流水面より高い位置まで前記樋状の注ぎ口と平行にリブＡを突出させ、前記注ぎ口より流出する結露水を前記リブＡをガイドとして前記吹き出しグリルの水受皿へ導く手段を有することを特徴とする。
【０００９】
この発明によれば、注ぎ口より流出した結露水は、リブＡに衝突しリブＡを伝って吹き出しグリルの水受け皿に導かれ、注ぎ口から直接水受け皿に落下するのを防止できる。また、注ぎ口の流水面より高い位置までリブＡを突出させたことにより、結露水がリブを飛び越え、直接水受け皿に落下するのを防止することが出来る。
【００１０】
請求項２記載の発明は、請求項１の発明において、前記吹き出しグリルより前記注ぎ口の流水面より高い位置まで前記樋状の注ぎ口と平行にリブＡを突出させ、さらにその前方に前記リブＡと同等の高さで前記リブＡと９０度の角度を成し、前記注ぎ口の幅より大きい幅面を持つＬ型リブＢを突出させたことを特徴とする。
【００１１】
この発明によれば、リブＡの前方に、リブＢをリブＡと垂直に突出させることにより、リブＡを飛び越えた結露水を受け止め、結露水を水受け皿に導くことが出来る。
【００１２】
請求項３記載の発明は、請求項１の発明において、前記吹き出しグリルより前記注ぎ口の流水面より高い位置まで前記樋状の注ぎ口と平行にリブＡを突出させ、さらに前記リブＡと同等の高さで前記リブＡの前方に位置し前記リブＡ及び前記注ぎ口を囲むようにコの字状のリブＣを突出させたことを特徴とする。
【００１３】
この発明によれば、リブＡ及び前記注ぎ口を囲むようにコの字状のリブＣを突出させたことにより、注ぎ口から流出した結露水がコの字状のリブＣのリブＡと垂直を成す面に衝突し両側面側に跳ね水受け皿に直接落下し水跳ね音の発生や、水受け皿の外に落下し水漏れが発生することを防止することが出来る。
【００１４】
請求項４記載の発明は、請求項１の発明において前記吹き出しグリルより前記注ぎ口の流水面より高い位置まで前記樋状の注ぎ口と平行にリブＡを突出させ、さらにその前方に前記リブＡと同等の高さで前記リブＡと９０度の角度を成し、前記注ぎ口の幅より大きい幅面を持つリブＤを突出させ、該リブＤの両端に前記注ぎ口を囲むように前記リブＤに垂直にリブＥを突出させ、前記リブＤの下方に前記吹き出しグリルの水受け皿に通じる貫通孔を設けたことを特徴とする。
【００１５】
この発明によれば、注ぎ口の幅より大きい幅面を持つリブＤとリブＥで、注ぎ口を覆うことが出来、結露水を確実にリブＤの下方に設けた孔より水受け皿に導くことが出来る。
【００１６】
請求項５記載の発明は、請求項１の発明において、前記吹き出しグリルより前記注ぎ口の前方に前記樋状の注ぎ口と平行にリブＦを突出させ、さらにその前方に前記リブＦと９０度の角度を成し、前記注ぎ口の幅と同等か、前記注ぎ口の幅より大きい幅面を持つＬ型リブＧを突出させ、該Ｌ型リブＧの上方に前記熱交換器のエンドプレートを延長し遮蔽板を形成し、前記注ぎ口より流出した結露水を受け止め、結露水を前記Ｌ型リブＧの前記リブＦ側の面に誘導する構造を備えたことを特徴とする。
【００１７】
この発明によれば、請求項１乃至４のようにリブを注ぎ口の流水面より高く突出させると組立作業性が悪くなるため突出させる構造と出来ない時、熱交換器のエンドプレートより注ぎ口より流出した結露水を受け止め、結露水をリブＧに誘導する構造を備えることにより、結露水が吹き出しグリルに直接落下することを防止し、水跳ね音の発生を防止することが出来る。
【００１８】
以下に、本発明の実施の形態について図面を参照しながら説明する。なお、本実施の形態によって本発明が限定されるものではない。
【００１９】
（実施の形態１）
図１は本発明の実施の形態１における空気調和機の台枠に設けた流水路と吹き出しグリルの水受け皿近傍の要部斜視図、図２は本発明の実施の形態１における空気調和機の同じく要部斜視図、図３は本発明の実施の形態１における空気調和機の流水路近傍の要部断面図、図４は本発明の実施の形態１における空気調和機の要部斜視図、図５は本発明の実施の形態１における空気調和機の要部断面図である。
【００２０】
空気調和機は図８，９の従来図に示すように、台枠１、クロスフロ−ファン２、熱交換器３、吸い込みグリル５、吹き出しグリル４から成り、クロスフローファン２の回転によって吸い込みグリル５から吸い込まれた空気は熱交換器３で熱交換され、吹き出しグリル４から吹き出される。熱交換器３は多段に折り曲げられクロスフローファン２を覆う形で配置され、冷房運転時には結露水が発生し、前面側熱交換器３ｃに発生した結露水は吹き出しグリル４と一体に設けた水受け皿４ａに流入する。一方、背面側熱交換器３ｄに発生した結露水は、台枠１に設けた流水路１ａに流入し、流水路１ａの一端から前方に向かって設けた樋状の注ぎ口１ｂを通って、水受け皿４ａに自然落下する構造となっている。
【００２１】
本発明の実施の形態１では、図１に示すように、結露水の注ぎ口１ｂの前方には、水受け皿４ａよりリブＡ６が突出している。リブＡ６の高さは注ぎ口１ｂの流水面より高くなっている。更に、その前方にリブＡ６とほぼ同等の高さでリブＡ６と９０度の角度を成し、注ぎ口１ｂの幅より大きい幅を持つＬ型のリブＢ７が突出している。
【００２２】
結露水は注ぎ口１ｂを出て吹き出しグリル４の水受け皿４ａに直接落下すると、水受け皿４ａに結露水が溜っていると落下した結露水が溜った結露水面に衝突して水跳ね音が発生する。この現象を防止するためリブＡ６およびリブＢ７を設けてあり、注ぎ口から流出する結露水はリブＡ６に衝突し、一部はリブＡ６を伝って水受け皿４ａに導かれ、一部はリブＢ７に衝突しリブＢ７の壁を伝って水受け皿４ａに流入する。リブＡ６およびリブＢ７の高さは、結露水が勢いよく流出してもリブＡ６、リブＢ７を飛び越え結露水が直接水受け皿４ａに落下しないように注ぎ口１ｂの流水面より高く設定してある。
【００２３】
冷房能力の大きな空気調和機になると結露水の量も増え、Ｌ型リブＢ７に衝突した結露水が跳ねＬ型リブＢ７の側壁の無い方から水受け皿４ａに落下しないで外に飛び出し水漏れを起こす場合がある。このためリブＡ６の前方に設けるリブＣ８の形状を図２に示すようにコの字状にすることによってリブＡ６の前方の面に衝突した結露水が側壁側に飛び出すのが防止できる。
【００２４】
更に、コの字リブＣ８の幅が注ぎ口の幅に対して大きくとれないと結露水がリブＣ８の外側を通過し、水受け皿４ａに直接落下する恐れがある。このため、リブＡ６の前方に図４，５に示すようにリブＤ９を設けその両端にリブＥ１０を確実に注ぎ口１ｂを覆う形に突出させる。これにより、結露水がリブに衝突せずに流出することを防止できる。そしてリブＤ９の下部に設けた貫通孔９ａを通して結露水が水受け皿４ａに流入する。
【００２５】
（実施の形態２）
図６は本発明の実施の形態２における空気調和機の斜視図、図７は本発明の実施の形態２における空気調和機の断面図であり、実施の形態１と異なる点のみを説明する。
【００２６】
実施の形態１では、注ぎ口１ｂの前方にリブを突出させて、結露水が飛び出すのを防止したが実施の形態２では、注ぎ口１ｂの前方に熱交換器３のエンドプレートに遮蔽板３ａを設けたことを特徴とする。
【００２７】
吹き出しグリル４より台枠１の注ぎ口１ｂの前方に注ぎ口１ｂと平行にリブＦ１１を突
出させ、さらにその前方にリブＦ１１と９０度の角度を成し、注ぎ口１ｂの幅と同等か、注ぎ口１ｂの幅より大きい幅面を持つＬ型リブＧ１２を突出させ、更に熱交換器３のエンドプレート３ａの一部を延長し、注ぎ口１ｂに対向する位置に遮蔽板３ｂを形成する。遮蔽板３ｂは注ぎ口１ｂの幅より大きい幅を持ち両端に側壁３ｅを有し衝突した結露水が横に滴下するのを防止し、注ぎ口１ｂより流出した結露水を受け止め、リブＧ１２に流下させる働きをする。
【００２８】
実施の形態１で説明したリブのように注ぎ口１ｂの流水面より高くリブを突出させると、熱交換器３の形状によっては、吹き出しグリル４を組み込む時突出させたリブが熱交換器３に当り組み込み作業性が悪くなる場合が有り、このような形体の場合には有効である。
【産業上の利用可能性】
【００２９】
以上のように、本発明の空気調和機は、流水路先端部の注ぎ口の前方に、吹き出しグリルよりリブを突出させ注ぎ口より流出する結露水を吹き出しグリルの水受け皿部へ導き、水跳ねを防止し、流水音をなくすことが出来、熱交換器の背面から発生する結露水の処理を要する空気調和機に有効である。
【図面の簡単な説明】
【００３０】
【図１】本発明の実施の形態１における空気調和機の要部斜視図
【図２】本発明の実施の形態１における空気調和機の要部斜視図
【図３】本発明の実施の形態１における空気調和機の要部断面図
【図４】本発明の実施の形態１における空気調和機の要部斜視図
【図５】本発明の実施の形態１における空気調和機の要部断面図
【図６】本発明の実施の形態２における空気調和機の要部斜視図
【図７】本発明の実施の形態２における空気調和機の要部断面図
【図８】従来例を示す空気調和機の部分透視斜視図
【図９】従来例を示す空気調和機の要部斜視図
【符号の説明】
【００３１】
１  台枠
１ａ  流水路
１ｂ  注ぎ口
２  クロスフローファン
３  熱交換器
３ａ  エンドプレート
３ｂ  遮蔽板
３ｃ  前面側
３ｄ  背面側
３ｅ  側壁
４  吹き出しグリル
４ａ  水受け皿
４ｂ  リブ
５  吸い込みグリル
６  リブＡ
７  リブＢ
８  リブＣ
９  リブＤ
９ａ  貫通孔
１０  リブＥ
１１  リブＦ
１２  リブＧ
【図１】
2008215714.tif 000003
【図２】
2008215714.tif 000004
【図３】
2008215714.tif 000005
【図４】
2008215714.tif 000006
【図５】
2008215714.tif 000007
【図６】
2008215714.tif 000008
【図７】
2008215714.tif 000009
【図８】
2008215714.tif 000010
【図９】
2008215714.tif 000011